(57)【要約】【課題】回転電機の特性を確保しつつ、回転電機の冷却性を向上できる回転電機、回転電機の製造方法、および送風機を提供する。【解決手段】バックヨーク２０は、ティース２６の径方向Ｘの外側Ｘ１において、フレーム４の内壁４１と離反して空間部８を形成し、径方向Ｘの内側Ｘ２に凸状に形成される第一バックヨーク部２４と、第一バックヨーク部２４の周方向Ｚの両端にフレーム４の内壁４１と接する第二バックヨーク部２５とにて形成され、第一バックヨーク部２４の周方向Ｚの長さＬ１、ティース２６の周方向Ｚの長さＬ２、第一バックヨーク部２４の周方向Ｚにおけるティース２６の周方向Ｚの中心線Ｑから一方の第二バックヨーク部２４までの長さＬ４、ティース２６の径方向Ｘの長さＴ３とが、Ｌ１≧Ｌ２×２、かつ、Ｌ４＞Ｔ３にて形成される。【選択図】図２
2019140757.tif 000002
【特許請求の範囲】
【請求項１】
筒状のフレームの内側に設置された固定子と、前記固定子の径方向の内側に設置された回転軸を有する回転子とを備えた回転電機において、
前記固定子は、環状に形成されたバックヨーク、および、前記バックヨークから周方向に間隔を隔てるとともに径方向の内側に突出して形成される複数のティースを有する鉄心と、各前記ティースに巻線を巻回されるとともに前記ティースおよび前記バックヨークにて囲まれたスロット部に収納されたコイルとを有し、
前記バックヨークは、前記ティースの径方向の外側において、前記フレームの内壁と離反して空間部を形成するとともに径方向の内側に凸状に形成される第一バックヨーク部と、前記第一バックヨーク部の周方向の両端に前記フレームの前記内壁と接する第二バックヨーク部とにて形成され、
前記第一バックヨーク部の周方向の長さをＬ１とし、
前記ティースの周方向の長さをＬ２とし、
前記第一バックヨーク部の前記ティースの周方向の中心線から一方の前記第二バックヨーク部までの長さをＬ４とし、
前記ティースの径方向の長さをＴ３とすると、
Ｌ１≧Ｌ２×２、かつ、Ｌ４＞Ｔ３にて形成される回転電機。
【請求項２】
前記フレームは、円筒状に形成され、
前記フレームの内壁、前記第二バックヨーク部の径方向の外側の第一側面および径方向の内側の第二側面は、同心円の円弧形状に形成される請求項１に記載の回転電機。
【請求項３】
前記ティースの径方向の内側の先端面は、
前記第一側面および前記第二側面と同心円の円弧形状にて形成される請求項２に記載の回転電機。
【請求項４】
前記ティースの径方向の内側の先端面は、
前記第一側面および前記第二側面と同心円の円弧形状にて形成される部分と、平面形状にて形成される部分とを有する請求項２に記載の回転電機。
【請求項５】
前記第一バックヨーク部の径方向の外側の第三側面および径方向の内側の第四側面は、同心円の円弧形状に形成される請求項１から請求項４のいずれか１項に記載の回転電機。
【請求項６】
前記第一バックヨーク部の径方向の外側の第三側面および径方向の内側の第四側面は、平面形状に形成される請求項１から請求項４のいずれか１項に記載の回転電機。
【請求項７】
前記第二バックヨーク部の径方向の外側の第一側面と、径方向の内側の第二側面との幅をＴ１とし、
前記第一バックヨーク部の径方向の外側の第三側面と、径方向の内側の第四側面との幅をＴ２とすると、
Ｔ１＝Ｔ２にて形成される請求項１から請求項６のいずれか１項に記載の回転電機。
【請求項８】
前記鉄心の軸方向に垂直な断面であって、前記鉄心の径方向の内側の外形線上において、
前記ティースと前記バックヨークとの交点をＰ１とし、
前記第一バックヨーク部と前記第二バックヨーク部との交点をＰ２とし、
前記第二バックヨーク部の周方向に隣接する前記ティース間の周方向の中間点をＰ３とすると、
Ｐ１、Ｐ２、Ｐ３の位置関係は、径方向の内側よりＰ３、Ｐ１、Ｐ２の順に形成される請求項１から請求項７のいずれか１項に記載の回転電機。
【請求項９】
前記固定子の前記鉄心が軸方向に複数枚の薄板を積層して形成される回転電機において、
前記第一バックヨーク部の径方向の外側の第三側面に、径方向の外側に突出する突起部を備え、
前記突起部には、軸方向にカシメられたカシメ部が形成される請求項１から請求項８のいずれか１項に記載の回転電機。
【請求項１０】
前記固定子の前記鉄心は、周方向において、前記ティースの周方向間にて分割された複数の分割鉄心にて形成される請求項１から請求項９のいずれか１項に記載の回転電機。
【請求項１１】
請求項１から請求項１０のいずれか１項に記載の回転電機と、
前記回転電機の前記回転軸に設置された羽部とを備えた送風機。
【請求項１２】
請求項１から請求項１１のいずれか１項に記載の回転電機の製造方法において、
前記第一バックヨーク部の径方向の外側の第三側面を位置決めに使用して保持し、前記ティースに巻線を巻回して前記コイルを形成する回転電機の製造方法。
【発明の詳細な説明】
【技術分野】
【０００１】
この発明は、回転電機の特性を確保しつつ、回転電機の冷却性を向上できる回転電機、回転電機の製造方法、および送風機に関するものである。
【背景技術】
【０００２】
従来の回転電機および送風機は、固定子を構成している鉄心は内径側に凸となる形状とその外径側に空間部を有している。従来の回転電機の冷却方法として、この凸となっている空間部に空気または液体を流す技術が知られている（例えば、特許文献１、特許文献２、特許文献３）。
【先行技術文献】
【特許文献】
【０００３】
【特許文献１】特開２０１３−４２５８８
【特許文献２】特開２０１６−３９６５６
【特許文献３】特開２０１２−１８６８８０
【発明の概要】
【発明が解決しようとする課題】
【０００４】
従来の回転電機および送風機は、固定子の外径側に溝または内径側に凸となる形状を設けることで固定子および回転電機を冷却する構成となっているが、固定子の外径に溝または内径側に凸となる形状が設けられた固定子の鉄心であると、バックヨークにおける磁束を有効に活用できず回転電機の特性が低下したり、また磁路が長いため損失が増加したり、固定子の鉄心の冷却面積が少なく回転電機の冷却性が低くなったりするという問題点があった。
【０００５】
この発明は上記のような課題を解決するためになされたものであり、回転電機の特性を確保しつつ、回転電機の冷却性を向上できる回転電機、回転電機の製造方法、および送風機を提供することを目的とする。
【課題を解決するための手段】
【０００６】
この発明の回転電機は、
筒状のフレームの内側に設置された固定子と、前記固定子の径方向の内側に設置された回転軸を有する回転子とを備えた回転電機において、
前記固定子は、環状に形成されたバックヨーク、および、前記バックヨークから周方向に間隔を隔てるとともに径方向の内側に突出して形成される複数のティースを有する鉄心と、各前記ティースに巻線を巻回されるとともに前記ティースおよび前記バックヨークにて囲まれたスロット部に収納されたコイルとを有し、
前記バックヨークは、前記ティースの径方向の外側において、前記フレームの内壁と離反して空間部を形成するとともに径方向の内側に凸状に形成される第一バックヨーク部と、前記第一バックヨーク部の周方向の両端に前記フレームの前記内壁と接する第二バックヨーク部とにて形成され、
前記第一バックヨーク部の周方向の長さをＬ１とし、
前記ティースの周方向の長さをＬ２とし、
前記第一バックヨーク部の前記ティースの周方向の中心線から一方の前記第二バックヨーク部までの長さをＬ４とし、
前記ティースの径方向の長さをＴ３とすると、
Ｌ１≧Ｌ２×２、かつ、Ｌ４＞Ｔ３にて形成される。
また、この発明の送風機は、前記回転電機と、
前記回転電機の前記回転軸に設置された羽部とを備える。
また、この発明の回転電機の製造方法は、
前記第一バックヨーク部の径方向の外側の第三側面を位置決めに使用して保持し、前記ティースに巻線を巻回して前記コイルを形成する。
【発明の効果】
【０００７】
この発明の回転電機、回転電機の製造方法、および送風機によれば、
回転電機の特性を確保しつつ、回転電機の冷却性を向上できる。
【図面の簡単な説明】
【０００８】
【図１】この発明の実施の形態１の回転電機の構成を示す上面図である。
【図２】図１に示した回転電機の固定子の分割鉄心の構成を示す上面図である。
【図３】図１に示した回転電機の固定子の分割鉄心の構成を示す上面図である。
【図４】図１に示した回転電機の製造方法を示す上面図である。
【図５】図１に示した回転電機の製造方法を示す上面図である。
【図６】図１に示した回転電機の製造方法を示す上面図である。
【図７】図１に示した回転電機の製造方法を示す部分断面図である。
【図８】図１に示した回転電機の製造方法を示す断面図である。
【図９】図８に示した回転電機を用いた送風機の構成を示す断面図である。
【図１０】この発明の実施の形態２の回転電機の分割鉄心の構成を示す上面図である。
【図１１】この発明の実施の形態２の回転電機の分割鉄心の構成を示す上面図である。
【図１２】この発明の実施の形態３の回転電機の分割鉄心の構成を示す上面図である。
【図１３】この発明の実施の形態３の回転電機の分割鉄心の構成を示す上面図である。
【図１４】この発明の実施の形態４の回転電機の分割鉄心の構成を示す上面図である。
【図１５】この発明の実施の形態４の回転電機の分割鉄心の構成を示す上面図である。
【図１６】この発明の実施の形態５の回転電機の分割鉄心の構成を示す上面図である。
【図１７】この発明の実施の形態５の回転電機の分割鉄心の構成を示す上面図である。
【発明を実施するための形態】
【０００９】
実施の形態１．
以下、本願発明の実施の形態について説明する。図１はこの発明の実施の形態１における回転電機の構成を示す上面図である。図２および図３は図１に示した回転電機の固定子の鉄心の１つの分割鉄心を示す上面図である。図２は分割鉄心の各箇所の長さを説明するための図である。図３は分割鉄心の各箇所の位置を説明するための図である。
【００１０】
図４から図８は図１に示した回転電機の製造方法を示す図である。図４は分割鉄心にコイルを形成した状態を示す上面図である。図５は図４に示した分割鉄心を環状に配置して固定子を形成した状態を示す上面図である。図６はフレーム内に図５に示した固定子を設置した状態を示す上面図である。図７は回転子の回転軸に軸受を設置し、回転子をフレームに挿入する前の状態を示した部分断面図である。図８はフレーム内に、回転子および軸受を設置し回転電機を構成した状態を示す断面図である。図９は図８に示した回転電機のフレーム外に突出した回転軸に羽部を設置し送風機の構成を示す断面図である。
【００１１】
本実施の形態１では、４極４スロットの永久磁石型の回転電機１について説明する。但し、回転電機１の極数およびスロット数は適宜増減可能である。また、以下の説明において、回転電機１における各方向を、それぞれ周方向Ｚ、軸方向Ｙ、径方向Ｘ、径方向Ｘの外側Ｘ１、径方向Ｘの内側Ｘ２として示す。よって、他の部分においても、これらの方向を基準として各方向を示して説明する。また、他の実施の形態においても同様に説明する。
【００１２】
図において、回転電機１は、フレーム４と、固定子２と、回転子３とを備える。回転電機１は、径方向Ｘの外側Ｘ１からフレーム４、固定子２、回転子３の順番で配置される。フレーム４は、筒状、ここでは円筒状にて形成する。固定子２は、フレーム４に固定して設置される。本実施の形態では、固定子２の鉄心２１とフレーム４とは焼きばめにて固定される。但し、鉄心２１とフレーム４との固定は、焼きばめに限らず、接着剤での固定、または、溶接による固定なども可能である。また、鉄心２１とフレーム４との線膨張係数は同じであってもよいし、異なっていてもよい。
【００１３】
回転子３は、回転軸６を有する。固定子２と回転子３とは、同心円状に形成する。固定子２と回転子３との径方向Ｘの間には、空隙であるエアギャップ５が形成される。図１に示すように、当該エアギャップ５は、径方向Ｘの幅Ｗ１が、０．１ｍｍ〜２．５ｍｍで形成される。
【００１４】
回転子３は、軸心位置に回転軸６に固定された永久磁石７を備える。永久磁石７は、回転軸６に一体成形または接着剤等で固定する。固定方法はこれに限定されるものではない。永久磁石７の軸方向Ｙの両端には、エンドキャップ７１を設置する。
【００１５】
固定子２は、鉄心２１とコイル２２とインシュレータ２３とを有す。鉄心２１は円環状に構成された複数枚の薄板である電磁鋼板を軸方向Ｙに積層して形成する。鉄心２１の使用部材は、磁束を通す部材であればいずれでも適用可能である。
【００１６】
鉄心２１は、環状に形成されたバックヨーク２０、および、バックヨーク２０から周方向Ｚに間隔を隔てるとともに径方向Ｘの内側Ｘ２に突出して形成される複数のティース２６を有する。鉄心２１は周方向Ｚに隣接するティース２６間のバックヨーク２０を分割した分割鉄心２１１にて形成される。ここでは、ティース２６が４箇所形成されているため、分割鉄心２１１が４個にて鉄心２１が形成される。
【００１７】
コイル２２は、各ティース２６にインシュレータ２３を介して巻線が巻回され、ティース２６およびバックヨーク２０にて囲まれたスロット部９に収納され設置される。インシュレータ２３は、鉄心２１とコイル２２との間に配置され、絶縁の役割を果たしており、絶縁することができればどのような材質を使用してもよく、例えば樹脂、樹脂シート、テープ、紙などが用いられる。
【００１８】
コイル２２は、スロット部９内に配置されていればどのような巻き方であってもよい。また、コイル２２は導通可能なものであればどのような材料を使用してもよく、本実施の形態では銅を用いる。バックヨーク２０は、第一バックヨーク部２５と第二バックヨーク部２４とにて形成される。第一バックヨーク部２５は、ティース２６の径方向Ｘの外側Ｘ１において、フレーム４の内壁４１と離反して空間部８を形成するとともに径方向Ｘの内側Ｘ２に凸状に形成される。空間部８は、鉄心２１の軸方向Ｙにおいて、冷却体を通過させる流路として活用される。よって、鉄心２１は当該空間部８に冷却体が通過することにより冷却される。冷却体は、鉄心２１を冷却できるものであればいずれでもよく、液体または気体を用いる。
【００１９】
第二バックヨーク部２４は、第一バックヨーク部２５の周方向Ｚの両端に形成されるとともにフレーム４の内壁４１と接して形成される。すなわち、第二バックヨーク部２４がフレーム４の内壁４１に固定される箇所となる。
【００２０】
図２に示すように、第一バックヨーク部２５の周方向Ｚの長さをＬ１とする。また、ティース２６の周方向Ｚの長さをＬ２とする。また、第一バックヨーク部２５のティース２６の周方向Ｚの中心線Ｑから周方向Ｚの一方の第二バックヨーク部２４までの長さをＬ４（以下、第一バックヨーク部２５の周方向Ｚの一方の長さＬ４と称す）とする。また、ティース２６の径方向Ｘの長さをＴ３とする。そして、これらの関係が、Ｌ１≧Ｌ２×２、かつ、Ｌ４＞Ｔ３となるように分割鉄心２１１、すなわち鉄心２１が形成される。
【００２１】
但し、ティース２６の径方向Ｘの長さＴ３は、コイル２２を設置するため、少なくともコイル２２を形成するための巻線が１本以上設置可能である長さとする。また、長さＴ３は、巻線が角線の場合には、角線の短い側の一辺の長さが設置可能である長さとする。
【００２２】
第一バックヨーク部２５の径方向Ｘの外側Ｘ１の軸方向Ｙの側面を第三側面２５２とし、径方向Ｘの内側Ｘ２の軸方向Ｙの側面を第四側面２５１とする。また、第二バックヨーク部２４の径方向Ｘの外側Ｘ１の軸方向Ｙの側面を第一側面２４２とし、径方向Ｘの内側Ｘ２の軸方向Ｙの側面を第二側面２４１とする。そして、第二バックヨーク部２４の第一側面２４２と第二側面２４１と、フレーム４の内壁４１とを、同心円の円弧形状に形成する。これにより、フレーム４と鉄心２１とのしめしろを大きく確保できる。
【００２３】
また、第二バックヨーク部２４の第一側面２４２と、第二側面２４１との幅をＴ１とし、第一バックヨーク部２５の第三側面２５２と、第四側面２５１との幅をＴ２とすると、Ｔ１＝Ｔ２にて形成する。さらに、ティース２６の周方向Ｚの長さをＬ２は、Ｔ１およびＴ２の１．５倍以上、特に２倍以上の関係にて形成する。ティース２６は、径方向Ｘの内側Ｘ２の軸方向Ｙの側面を先端面２６２とし、周方向Ｚの両端の軸方向Ｙの側面を第五側面２６１とする。また、第一バックヨーク部２５の第四側面２５１および第三側面２５２はそれぞれ平面形状にて形成される。
【００２４】
図３に示すように、分割鉄心２１１の軸方向Ｙに垂直な断面であって、分割鉄心２１１の径方向Ｘの内側Ｘ２の外形線上において、ティース２６と第一バックヨーク部２５との交点、すなわち、ティース２６の第五側面２６１と、第一バックヨーク部２５の第四側面２５１との交点をＰ１とし、第一バックヨーク部２５と第二バックヨーク部２４との交点、すなわち、第一バックヨーク部２５の第四側面２５１と第二バックヨーク部２４の第二側面２４１との交点をＰ２とし、第二バックヨーク部２４の周方向Ｚの内側Ｘ２の端部、すなわち、鉄心２１の第二バックヨーク部２４における周方向Ｚに隣接するティース２６間の周方向Ｚの中間点をＰ３とする。そして、これらＰ１、Ｐ２、Ｐ３の位置関係は、径方向Ｘの内側Ｘ２よりＰ３、Ｐ１、Ｐ２の順に形成される。
【００２５】
軸受部９１は回転軸６の回転子３と異なる箇所に形成される。フレーム４の軸方向Ｙの上側には軸受部９１を設置するための軸受フレーム４０が連通して形成される。
【００２６】
そして、上記のように構成された回転電機１を用いて図９に示したような送風機１００を構成する。図９において送風機１００は、回転軸６の回転子３と異なる箇所に負荷部として羽部９２が設置される。送風機１００とは、羽部９２の回転により空気を移動できればよく、例えば掃除機などが考えられる。
【００２７】
次に、上記のように構成された実施の形態１の回転電機１および送風機１００の製造方法について説明する。まず、図２に示した分割鉄心２１１にインシュレータ２３を設置する。次に、インシュレータ２３を介してティース２６にコイル２２を形成する（図４）。この際、径方向Ｘの内側Ｘ２に凸状に形成される第一バックヨーク部２５を分割鉄心２１１の位置決めとして保持して、巻線の巻回を行いコイル２２を形成する。巻回方法は、どのような方法でも可能であり、例えば、スピンドル巻またはフライヤー巻などが用いられる。
【００２８】
次に、図４に示したようコイル２２を設置した分割鉄心２１１を４個用意し、環状に設置して、鉄心２１を形成する。よって、環状に形成されたバックヨーク２０が形成される（図５）。次に、第二バックヨーク部２４をフレーム４の内壁４１に接して配置し、フレーム４内に固定子２を固定する（図６）。次に、回転軸６に永久磁石７を一体成形もしくは固定する。次に、永久磁石７にエンドキャップ７１を設置する。次に、回転軸６に永久磁石７が配置されていない側から、例えば、軸受、波ワッシャ、スペーサ、ゴムワッシャ、軸受等から構成される軸受部９１を挿入する。
【００２９】
次に、回転軸６を図７に示す矢印Ａの方向に挿入する。ここで、軸受部９１は軸受フレーム４０に挿入される。また、回転子３は固定子２の径方向Ｘの内側Ｘ２にエアギャップ５を有するように設置され、回転電機１が製造される（図８）。次に、軸受フレーム４０から軸方向Ｙに突出している回転軸６に羽部９２を設置し、送風機１００を製造する（図９）。
【００３０】
次に上記のように構成された実施の形態１の回転電機、回転電機の製造方法、および送風機の効果について説明する。第一バックヨーク部２５の第三側面２５２の周方向Ｚの長さＬ１と、ティース２６の周方向Ｚの長さＬ２との関係が、Ｌ１≧Ｌ２×２となるように構成されるため、空間部８を大きく設けることが可能となり、回転電機１および送風機１００を軽量化でき、さらに冷却体を通過させる通路を大きく確保できるため、回転電機１および送風機１００の冷却性を向上できる。さらに、第一バックヨーク部２５の周方向Ｚの一方の長さＬ４がティース２６の径方向Ｘの長さＴ３よりも大きく形成されるため、磁路の長さを短縮でき、損失（鉄損）を低減できる。
【００３１】
また、フレーム４の内壁４１、第二側面２４１および第一側面２４２が同心円の円弧形状にて形成されるため、しめしろを大きく確保でき、フレーム４から固定子２の抜け防止の役割を果たす。さらに、鉄心２１の金型形状を簡素化できる。また、組み立ても容易となる。さらに、磁路の短絡を防ぎ、磁束を有効に活用できる。
【００３２】
また、第一バックヨーク部２５の第四側面２５１および第三側面２５２はそれぞれ平面形状にて構成されるので、鉄心２１の金型形状を簡素化できる。
【００３３】
また、第二バックヨーク部２４の第二側面２４１と第一側面２４２との幅Ｔ１と、第一バックヨーク部２５の第四側面２５１と第三側面２５２との幅Ｔ２との関係性を、Ｔ１＝Ｔ２の関係にて構成するため、磁路の短絡を防ぎ、磁束を有効に活用でき、損失を低減できる。
【００３４】
また、第一バックヨーク部２５を巻線の巻回時の位置決めに使用できるので、鉄心２１の位置ずれを防止することができ、コイル２２の巻き乱れを抑制できる。このため、コイル２２の整列性および固定子２の鉄心２１の位置決め時間を短縮できる。
【００３５】
また、鉄心２１の軸方向Ｙに垂直な断面であって、鉄心２１の径方向Ｘの内側Ｘ２の外形線上において、ティース２６と第一バックヨーク部２５との交点Ｐ１と、第一バックヨーク部２５と第二バックヨーク部２４との交点Ｐ２と、第二バックヨーク部２４の周方向Ｚに隣接するティース２６間の周方向Ｚの中間点Ｐ３とが、径方向Ｘの内側Ｘ２よりＰ３、Ｐ１、Ｐ２の配置にて形成されるため、磁路の短絡を防ぎつつ、コイル２２を設置するスロット部９の面積をより大きく確保でき、巻線を巻回しやすくできる。また、磁路を短くできるため、損失を低減できる。ティース２６の径方向Ｘの長さＴ３と、第一バックヨーク部２５の長さＬ４の関係、Ｌ４＞Ｔ３であるため、磁路が全体として短くなり、損失を低減でき、また、直接冷却できる鉄心２１の第一バックヨーク部２５の面積が大きく確保でき冷却性が向上する。
【００３６】
尚、上記実施の形態１においては、固定子の鉄心を分割鉄心にて形成する例を示したが、これに限られることはなく、例えば、バックヨークが連結された１つの連結鉄心にて形成される場合も同様に行うことができる。また、固定子の鉄心は、軸方向に複数枚の薄板を積層して形成する例を示したが、これに限られることはなく、軸方向に厚みの厚い部材にて形成することも考えられる。またこれらのことは、以下の実施の形態においても適宜適用可能であるため、その説明は省略する。
【００３７】
実施の形態２．
本実施の形態２は、上記実施の形態１の第一バックヨーク部２５の形状を変更した場合を示すものであり、上記実施の形態１との変更点を中心に説明する。図１０および図１１は本実施の形態２における回転電機の固定子の鉄心の１つの分割鉄心を示す上面図である。図１０は分割鉄心の各箇所の長さを示した図である。図１１は分割鉄心の各箇所の位置を示した図である。
【００３８】
図において、上記実施の形態１と同様の部分は同一符号を付して説明を省略する。第一バックヨーク部２５の第四側面２５１および第三側面２５２は、同心円の円弧形状にて構成する。よって、巻線の巻回時には第三側面２５２を保持して巻回を行う。また、この時、径方向Ｘの内側Ｘ２に向かって凸状となっている第一バックヨーク部２５を位置決めに用いて巻線の巻回を行う。
【００３９】
上記のように構成された実施の形態２の回転電機、回転電機の製造方法、および送風機は、上記実施の形態１と同様の効果を奏するのはもちろんのこと、第一バックヨーク部２５は内径側に凸の形状を有し、第四側面２５１および第三側面２５２は同心円の円弧形状にて形成されているため、磁束の漏れを防ぐことができ、損失を低減できる。
【００４０】
実施の形態３．
本実施の形態３は、上記各実施の形態の第一バックヨーク部２５の形状を変更した場合を示すものであり、上記各実施の形態との変更点を中心に説明する。図１２および図１３は本実施の形態３における回転電機の固定子の鉄心の１つの分割鉄心を示す上面図である。図１２は分割鉄心の各箇所の長さを示した図である。図１３は分割鉄心の各箇所の位置を示した図である。
【００４１】
図において、上記各実施の形態と同様の部分は同一符号を付して説明を省略する。第一バックヨーク部２５の径方向Ｘの外側Ｘ１の第三側面２５２に、径方向Ｘの外側Ｘ１に突出する突起部２７を形成する。そして、突起部２７には、軸方向Ｙにカシメられたカシメ部２７０が形成される。これにより、軸方向Ｙに複数枚の薄板を積層して形成される鉄心２１において、軸方向Ｙは当該カシメ部２７０により固定される。
【００４２】
上記のように構成された実施の形態３の回転電機、回転電機の製造方法、および送風機は、上記各実施の形態と同様の効果を奏するのはもちろんのこと、第一バックヨーク部２５の第三側面２５１に突起部２７が設けられ、突起部２７に軸方向Ｙにカシメられたカシメ部２７０が形成されるので、カシメ部２７０が磁路の邪魔をすることなく、回転電機および送風機の特性を向上させ、損失の低減を防ぐ。
【００４３】
実施の形態４．
本実施の形態４は、上記各実施の形態のティース２６の形状を変更した場合を示すものであり、上記各実施の形態との変更点を中心に説明する。図１４および図１５は本実施の形態４における回転電機の固定子の鉄心の１つの分割鉄心を示す上面図である。図１４は分割鉄心の各箇所の長さを示した図である。図１５は分割鉄心の各箇所の位置を示した図である。
【００４４】
図において、上記各実施の形態と同様の部分は同一符号を付して説明を省略する。ティース２６の先端面２６２は第二側面２４１および第一側面２４２と同心円の円弧形状にて形成する。
【００４５】
上記のように構成された実施の形態４の回転電機、回転電機の製造方法、および送風機は、上記各実施の形態と同様の効果を奏するのはもちろんのこと、ティース２６の先端面２６２が、第二バックヨーク部２４の第二側面２４１および第一側面２４２と同心円の円弧形状にて形成されているため、３個の円を同心円で構成することで、先端面２６２と第一側面２４２とは鉄心２１とフレーム４の同軸を出しやすくなる。また、先端面２６２と第二側面２４１とは磁路の長さを短くでき、損失も低減でき、さらに軽量化も兼ね備える。
【００４６】
実施の形態５．
本実施の形態５は、上記各実施の形態のティース２６の形状を変更した場合を示すものであり、上記各実施の形態との変更点を中心に説明する。図１６および図１７は本実施の形態５における回転電機の固定子の鉄心の１つの分割鉄心を示す上面図である。図１６は分割鉄心の各箇所の長さを示した図である。図１７は分割鉄心の各箇所の位置を示した図である。
【００４７】
図において、上記各実施の形態と同様の部分は同一符号を付して説明を省略する。ティース２６の先端面２６２には、第二側面２４１および第一側面２４２と同心円の円弧形状にて形成される部分２６４と、平面形状にて形成される部分２６５とを備える。
【００４８】
上記のように構成された実施の形態５の回転電機、回転電機の製造方法、および送風機は、上記各実施の形態と同様の効果を奏するのはもちろんのこと、ティース２６の先端面２６２には、第一側面２４２と第二側面２４１と同心円の円弧形状にて形成されている部分２６４と、平面形状に形成されている部分２６５とを備えるので、円弧形状の部分２６４は、３個の円を同心円で構成することで、先端面２６２と第一側面２４２とは鉄心２１とフレーム４との同軸を出しやすくなる。また、ティース２６の先端面２６２が円弧形状の部分２６４と平面形状の部分２６５とにて形成されるためコギングトルクを低減できる。
【００４９】
尚、本発明は、その発明の範囲内において、各実施の形態を自由に組み合わせたり、各実施の形態を適宜、変形、省略することが可能である。
【符号の説明】
【００５０】
１  回転電機、２  固定子、３  回転子、４  フレーム、５  エアギャップ、
６  回転軸、７  永久磁石、８  空間部、９  スロット部、２０  バックヨーク、
２１  鉄心、２２  コイル、２３  インシュレータ、２４  第二バックヨーク部、
２５  第一バックヨーク部、２６  ティース、２７  突起部、４０  軸受フレーム、
４１  内壁、７１  エンドキャップ、９１  軸受部、９２  羽部、１００  送風機、
２１１  分割鉄心、２４１  第二側面、２４２  第一側面、２５１  第三側面、
２５２  第四側面、２６１  第五側面、２６２  先端面、２７０  カシメ部、
Ｑ  中心線、Ｘ  径方向、Ｘ１  外側、Ｘ２  内側、Ｙ  軸方向、Ｚ  周方向、
Ｌ１  長さ、Ｌ２  長さ、Ｌ４  長さ、Ｔ１  幅、Ｔ２  幅、Ｔ３  長さ、Ｗ１  幅。
【図１】
2019140757.tif 000003
【図２】
2019140757.tif 000004
【図３】
2019140757.tif 000005
【図４】
2019140757.tif 000006
【図５】
2019140757.tif 000007
【図６】
2019140757.tif 000008
【図７】
2019140757.tif 000009
【図８】
2019140757.tif 000010
【図９】
2019140757.tif 000011
【図１０】
2019140757.tif 000012
【図１１】
2019140757.tif 000013
【図１２】
2019140757.tif 000014
【図１３】
2019140757.tif 000015
【図１４】
2019140757.tif 000016
【図１５】
2019140757.tif 000017
【図１６】
2019140757.tif 000018
【図１７】
2019140757.tif 000019